(57)【特許請求の範囲】
【請求項１】
ゼロを除く１ から９迄の９個のキーをトリプルマトリクスで９×９×９の７２９通りの信号組み合わせとし、その信号を元にスマートホンや携帯電話、コンピュータの日本語、アルファベット、記号を割り当て入力する信号入力方法。
【請求項２】
スマートホン、携帯電話、コンピュータでの日本語割り当ては次の通りとしたことを特徴とする、請求項１記載の信号入力方法。
１・１・１⇒あ、１・２・１⇒い、１・３・１⇒う、１・４・１⇒え、
１・５・１⇒お、２・１・１⇒か、２・２・１⇒き、２・３・１⇒く、
２・４・１⇒け、２・５・１⇒こ、３・１・１⇒さ、３・２・１⇒し、
３・３・１⇒す、３・４・１⇒せ、３・５・１⇒そ、４・１・１⇒た、
４・２・１⇒ち、４・３・１⇒つ、４・４・１⇒て、４・５・１⇒と、
５・１・１⇒な、５・２・１⇒に、５・３・１⇒ぬ、５・４・１⇒ね、
５・５・１⇒の、６・１・１⇒は、６・２・１⇒ひ、６・３・１⇒ふ、
６・４・１⇒へ、６・５・１⇒ほ、７・１・１⇒ま、７・２・１⇒み、
７・３・１⇒む、７・４・１⇒め、７・５・１⇒も、８・１・１⇒や、
８・３・１⇒ゆ、８・５・１⇒よ、９・１・１⇒ら、９・２・１⇒り、
９・３・１⇒る、９・４・１⇒れ、９・５・１⇒ろ、１・６・１⇒わ，
１・７・１⇒ん。    
【請求項３】
ＡからＺを以下の通り割り当てた事を特徴とする、請求項１記載の信号入力方法。
１・１・２⇒Ａ、１・２・２⇒Ｂ、１・３・２⇒Ｃ、１・４・２⇒Ｄ、
１・５・２⇒Ｅ、２・１・２⇒Ｆ、２・２・２⇒Ｇ、２・３・２⇒Ｈ、
２．４．２⇒Ｉ、２・５・２⇒Ｊ、３・１・２⇒Ｋ、３・２・２⇒Ｌ、
３・３・２⇒Ｍ、３．４．２⇒Ｎ、３・５・２⇒Ｏ、４・１・２⇒Ｐ、
４・２・２⇒Ｑ、４・３・２⇒Ｒ、４・４・２⇒Ｓ、４・５・２⇒Ｔ、
５・１・２⇒Ｕ、５・２・２⇒Ｖ、５・３・２⇒Ｗ、５・４・２⇒Ｘ、
５・５・２⇒Ｙ、６・１・２⇒Ｚ。        
【発明の詳細な説明】
【技術分野】
【０００１】
スマートホン、携帯電話、コンピュータの入力方法で、IT分野である。
【背景技術】
【０００２】
ＩＴ分野での日本は五十音入力がネックである。キーボードは両手を使っての入力だが慣れていても面倒で、年寄りや初心者にとっては近寄り難く、それを片手でしかも従来より数倍早くキーを見なくて、いわゆるブラインドタッチ入力を実現するのが今回の特願である。
【０００３】
特許文献１にはローマ字の割り振り方式があるが、０〜９、＊及び「＃」等が使われ、当方の１から９迄のキー使用とは基本が違う。
特許文献２もアルファベットによるローマ字入力方式だが、「＊」や「＃」等のキーがフルに使われ。１〜９までの9×9×9方式とは基本が違う。
【先行技術文献】
【特許文献】
【０００４】
【特許文献１】特開２００２−２５１２５
【特許文献２】特開２０００−３４１７６１
【発明の概要】
【発明が解決しようとする課題】
【０００５】
コンピュータのキーボードは元々が英字のタイプライター配列で五十音入力は考慮されていない。図１の汎用携帯電話入力案内でも、との文字を入力時、たを押して４回順送りでとを確定、一回押し過ぎると、たへ戻り、又４回押す、慣れた人でも間違うという具合で日本語入力は全く考慮されていない。
コンピュータからキーボードを無くし、携帯電話、スマートホンも同一方法で簡単に入力可能な方法にする。
【課題を解決するための手段】
【０００６】
五十音やアルファベット、記号等すべてを三つの数字をトリプルマトリクスで組み合わせた信号に割り当て入力する。ここで大事なのは携帯電話、スマートホン、パソコン、会社のデスクトップコンピュータもすべて同一トリプルマトリクス信号で動作させる。
例としてあ、の文字は１・１・１とすれば、携帯電話、スマートホン、会社のコンピュータも同一にする。
【発明の効果】
【０００７】
基本的には1から9まで、図２の3×3の９個のキー操作でこの方法を使えば障害者や年寄りにとって大きな効果を発揮する。
大昔のタイプライターキー配列を何んの疑問もなく使わされてきた日本、日本人が考え出した今回の方法を使えば恐るべきスピードで確実に入力が可能。
【０００８】
過去３０年間あのキーボードを使わされた時代は何んだったのか、と考える事。ＩＴの世界は多くの知恵が必要、今回のトリプルマトリクス・トライアングルで考えさせられる・・が効果です。
【図面の簡単な説明】
【０００９】
【図１】汎用携帯電話入力案内の一例を示す図。
【図２】１から９までの3×3キー配置図。
【図３】トリプルシート・１−４の説明図。
【図４】トリプルシート・５−９の説明図。
【図５】信号生成トリプルマトリクス組み合わせの一例を示す図。
【図６】トリプル信号ひらがな割り当て説明図。
【図７】トリプル信号ひらがな割り当て行表示説明図。
【図８】トリプルシート入力案内の一例を示す図。
【図９】入力選択小窓画面の例説明図。
【図１０】入力トリプル組み合わせ説明図。
【図１１】入力選択小窓画面の例説明図。
【図１２】入力トリプル組み合わせ説明図。
【図１３】入力選択小窓画面、トリプル組み合わせ説明図。
【図１４】入力選択小窓画面、トリプル組み合わせ説明図。
【図１５】入力選択小窓画面、トリプル組み合わせ説明図。
【図１６】アルファベット割り当て説明図。
【図１７】アルファベット割り当て行表示説明図。
【図１８】アルファベット入力選択小窓画面、組み合わせ図。
【図１９】アルファベット入力選択小窓画面、組み合わせ図。
【図２０】汎用携帯電話実物大図。
【図２１】デスクトップパソコン実用接続説明図。
【図２２】トリプル変換装置取り付け説明図。
【図２３】実用ＳＡＮＷＡ社製Ｎ−１８ＵＢＫテンキー実物図。
【図２４】テンキー用アルファベット割り当て説明図。
【図２５】テンキー用キー左列、指動作説明図。
【図２６】テンキー用キー中列、指動作説明図。
【図２７】テンキー用キー右列、指動作説明図。
【図２８】テンキー入力アルファベット案内説明図。
【図２９】パット装着時の例見本説明図。
【発明を実施するための形態】
【００１０】
図３と図４はトリプルシート１から９表で、７２９舛。
一見同じように見えるが其々違う右縦列の指定数をマトリクス化するのでダブリはない。
シート・１で説明するが左縦列1から9までをトリプルマトリクス一番。上横列1から9までをトリプルマトリクス二番。
右の縦列は数字を指定し9つ並べてトリプルマトリクス三番、その三つの数字を組み合わせでトリプルマトリクスを組む。
シート・１から９の数字とマトリクスの数字は無関係で、シート１からシート９はシート名である。
【００１１】
図５のトリプルマトリクス組み合わせ1番目にはシート左縦列の1から9まで。2番目には上横列の1から9が入る。3番目の右縦列指定数字はシートを呼び込んだ時点で自動的にプログラムで入力させる。
【００１２】
図６は（請求項２）の日本語五十音割り当て図だが、行単位での入力選択小窓画面の説明上、右半分を下へ持っていき、行を振り、図７に変形表示し、１行から１８行に分けて説明する。
【００１３】
図８が今回のトリプルシート入力案内画面で1を押すとシート・１の図７の１行、あ行が図９の入力選択小窓画面として出る。
そこで入力したい文字を押せばマトリクスが出来上がり入力。
図９で、あの文字入力は、図１０で3番目には指定数１が既にプログラムで入力されている。
一番と二番は図９の通り１・１を入力すれば、あが生成される。
【００１４】
図９で右側の頁前後を送れば今度は、図７のか行で2行目が出、同じように三番目のマトリクスには1が自動的にプログラムで入力済み。
けの文字を入力したい場合は図１１の２・４になり、マトリクス図１２になる。との文字を入力したければ頁送りをし、た行へ持っていき、との文字は図１３の４・５なので４・５を入力すれば、とが生成される。
さらに頁を送っていき、図１４のように、めを入力したい場合は
７・４が、めで、さらに頁送りをしていくと、わ行が出、わは図１５の１・６なのでここでも１・６を入力すれば、わが生成される。
【００１５】
実際の入力は図８のトリプルシート入力案内画面で1を押す。
その時点で図９が出、そこでいちいち入力しなくても文字をクリックかタッチするだけで生成させる。勿論、他の文字もクリックかタッチするだけで入力。
図１６は（請求項３）アルファベット割り当てシート・２でここで    
も行単位での入力選択小窓画面の説明上図１７に変形し１行から１８
行に分けて説明する。
【００１６】
図１７のアルファベット表入力も五十音入力と同じ動作である。
図８の入力案内画面で2を押すとシート・２、図１７の１行、図１８が出、Ａの文字を入力したければ当然指定数字はプログラムで自動的に２が入力済。１・１をタッチ又はクリックでＡが生成される。
頁を送って5頁まで行くと今度は選択小窓画面、図1９が出、そこも同じように指定数字は2がプログラムで自動的に入力済。５・４を入力すればＸが生成される。
勿論、Ｘをタッチ又はクリックすればＸが生成される。
【００１７】
コンピュータ、でのトリプルマトリクス入力方法を説明する。
図２１ではコンピュータ２とキーボード４とテンキー３が使われており、SANWA社製N-18UBKの汎用テンキー３で説明する。
キーボード内にある信号生成回路やシステムを図２２の通りトリプル変換装置５へそっくりそのまま収納する。
そして図2３の様にテンキー３部分に四則演算用数値入力と文字入力の切り替えキーを加える。
【００１８】
文字入力する場合、トリプルマトリクス入力方法が使えるように１から９迄のキーを四則演算用数値入力から動作を切り離して使う。
当然ここでトリプル信号をトリプル変換装置５の中でキーボード４から入力したのと同じように記号やアルファベット、五十音がコンピュータ２へ送りだされるようにプログラムを作る。
【００１９】
キーボード４の入力は２００通り前後だが、このトリルプマトリクス入力方法を使えば７２９通りの入力環境が確保でき多くの言語や異業種、異業界の記号にも対応可能である。
【００２０】
今回は1から9までのキー図２、いわゆる3×3でトリプルマトリクスを組む事でコンピュータを制御する、あるいはスマートホンや携帯電話をコントロールするという方法で、3×3という事は1つの指が上下に動けばいい。結果として全てがブラインドタッチで入力でき、メガネタイプや時計タイプの端末の外部入力には最適で、想像できなかった新しいコンピュータシステムが可能。
【００２１】
重宝されるのは、ロボットのコントロールで、大型機械から介護用のロボットなど3×3のキーで、目は回りを見ながらブラインドタッチで制御可能。実際に3×3の小型電卓をベルトに装着しコントロールシュミレーションをしたが、目が使える為微妙な動きでもOK。
【００２２】
今回はシート・１、シート・２、の日本語およびアルファベット入力を説明しましたが、実際にはシート・３からシート・９まで、残り５６０以上の割り当て枠があり、どのような記号や方程式等を入れるのか、従来のキーボードに慣れた我々では、とても飛躍し過ぎて割り当てが考えられません。
今後はプログラマーやITに携わる方々の知恵を借り、どのように割り当てIT革命を起こすか、委ねるしかありません。
【符号の説明】
【００２３】
１：汎用携帯電話、実物大図。
２：デスクトップパソコン。
３：テンキー。
４: キーボード。
５：トリプルマトリクス変換装置。
６： カーソルパット。
【図１】
0005944557.tif 000002
【図２】
0005944557.tif 000003
【図３】
0005944557.tif 000004
【図４】
0005944557.tif 000005
【図５】
0005944557.tif 000006
【図６】
0005944557.tif 000007
【図７】
0005944557.tif 000008
【図８】
0005944557.tif 000009
【図９】
0005944557.tif 000010
【図１０】
0005944557.tif 000011
【図１１】
0005944557.tif 000012
【図１２】
0005944557.tif 000013
【図１３】
0005944557.tif 000014
【図１４】
0005944557.tif 000015
【図１５】
0005944557.tif 000016
【図１６】
0005944557.tif 000017
【図１７】
0005944557.tif 000018
【図１８】
0005944557.tif 000019
【図１９】
0005944557.tif 000020
【図２０】
0005944557.tif 000021
【図２１】
0005944557.tif 000022
【図２２】
0005944557.tif 000023
【図２３】
0005944557.tif 000024
【図２４】
0005944557.tif 000025
【図２５】
0005944557.tif 000026
【図２６】
0005944557.tif 000027
【図２７】
0005944557.tif 000028
【図２８】
0005944557.tif 000029
【図２９】
0005944557.tif 000030